(57)【特許請求の範囲】
【請求項１】
複数種の商用交流電源が接続される交流入力端子と、直流出力端子を有し、前記交流電源の交流を全波整流する全波整流回路と、
前記全波整流回路の直流出力端子間に第１及び第２のコンデンサを直列接続し、前記全波整流回路の交流入力端子の一方にトライアックの第１端子を接続し、前記トライアックの第２端子を前記第１のコンデンサと前記第２のコンデンサの接続点に接続した倍電圧整流回路と、
前記トライアックのゲート及び前記第１端子の間に第３の抵抗を接続し、前記第３の抵抗に並列接続した第５のコンデンサと、
第１及び第２の一次巻線を有し、前記第１の一次巻線にパワーＭＯＳトランジスタのドレン及びソースを直列に介して前記倍電圧整流回路に並列に接続し、かつ２次巻線にスイッチングレギュレータ回路を接続する変圧器と、
前記変圧器の第２の一次巻線間に接続し、前記第１及び第２のコンデンサで整流平滑された直流電源電圧によって、前記整流回路の直流出力端子の一方と前記倍電圧整流回路との接続点に一端を接続した第１の抵抗を介してチャージ可能な第３のコンデンサと、
前記トライアックのゲートと、前記トライアックと前記倍電圧整流回路との接続点の間に第４の抵抗を介して接続し、前記トライアックをトリガ制御するフォトトライアックと、
前記トライアックをオンオフ制御するものであって、そのコレクタを、前記フォトトライアックに有するフォトダイオードのアノードを前記第３のコンデンサと前記第１の抵抗の接続点に、接続し、そのベースを前記全波整流回路の交流入力端子の一方に接続し、そのエミッタを前記フォトトライアックの前記フォトダイオードのカソードに接続した第２のスイッチングトランジスタと、
前記第２のスイッチングトランジスタのベースと前記トライアックと前記全波整流回路の交流入力端子の一方の接続点に接続した第２の抵抗と、
前記第５の抵抗と前記第２のスイッチングトランジスタのエミッタの接続点の電位、前記変圧器の二次巻線に接続されているスイッチングレギュレータ回路からのフイ−ドバック信号と、前記変圧器の第２の一次巻線と前記パワーＭＯＳトランジスタの接続されているソースと前記第３のコンデンサの接続点からの電位を取り込み、前記パワーＭＯＳトランジスタのゲートを制御するスイッチング電源コントロール用集積回路と、
前記第５の抵抗と前記第２のスイッチングトランジスタのベースとの接続点にそのコレクタを接続し、そのエミッタを前記フォトトライアックに有するフォトダイオードのアノードと前記第１の抵抗と前記第３のコンデンサとの接続点に接続し、そのベースを前記第２のスイッチングトランジスタのコレクタに接続した第３のスイッチングトランジスタと、
前記第３のスイッチングトランジスタのエミッタ及びベースの間に接続したバイアス用抵抗と、
前記第２のスイッチングトランジスタのベースとエミッタの間に接続した高周波ノイズ除去用コンデンサと、
を具備し、
前記第１、第２のスイッチングトランジスタによるサイリスタ動作で前記フォトトライアックのフォトダイオードを動作制御し、前記フォトトライアックにより前記トライアックをトリガ制御して、前記全波整流回路の出力である全波整流と、前記倍電圧整流回路の出力である倍電圧整流とを切り替えることを特徴とした電源装置。
【発明の詳細な説明】
【０００１】
【発明の属する技術分野】
本発明は、全波整流回路と倍電圧整流回路とをトライアックにより切り替えて、電圧を異にする複数種の商用交流電源に適用できるようにした所謂ワールドワイド入力電源に用いられるスイッチングレギュレータ電源装置に関する。
【０００２】
更に本発明は、全波整流回路と倍電圧整流回路とをトライアックにより切り替えて、電圧の異なる複数種の商用交流電源に適用できるようにしたスイッチングレギュレータ電源に於いて、入力される上記交流電源の電圧により上記整流回路を切り替え制御する回路に特徴をもつ電源装置に関する。
【０００３】
【従来の技術】
従来、全波整流回路と倍電圧整流回路とをトライアックにより切り替えて、１００Ｖ系商用交流電源、及び２００Ｖ系商用交流電源に適用できるようにしたスイッチング電源装置に於いては、トライアックのゲート駆動電力（トリガ信号）を商用交流電源（入力電源）からとっていたことから、駆動電圧が高く（１４０Ｖ程度）、従って発熱ロスが非常に大きく、低消費電力型のパーソナルコンピュータ等に適用し難いという問題があった。
【０００４】
そこでトライアックのゲートを商用交流電源より切り離した当該電源電圧より低いゲートドライブ電源により制御することで、トライアック駆動の発熱ロスを小さくし、低消費電力型のパーソナルコンピュータ等に容易に適用できるようにしたスイッチングレギュレータ電源装置が実現された。
【０００５】
この種、全波整流回路と倍電圧整流回路とをトライアックにより切り替えて、電圧を異にする複数種の商用交流電源に適用できるようにした、ワールドワイド入力電源に於ける従来の回路構成を図２に示す。
【０００６】
ここでは、ワールドワイドの入力電源（商用交流電源）として、１００Ｖ系と２００Ｖ系を扱うものとし、トライアックのオン／オフ制御で１００Ｖ系／２００Ｖ系の入力切り替えを行なっている。
【０００７】
この図２に示す回路構成のスイッチングレギュレータ電源装置に於いては、商用交流電源（入力電源）ＡＣがダイオードＤ１〜Ｄ４でなる整流回路により整流され、電解コンデンサＣ１、Ｃ２により平滑される。この整流平滑された直流電源電圧は、抵抗Ｒ１を介して電解コンデンサＣ３にチャージされる。
【０００８】
上記コンデンサＣ３の電圧が或る一定電圧まで上昇すると、スイッチングトランジスタＱ１をオン／オフ制御するスイッチング電源コントロール用集積回路ＩＣ１が動作して、フォトトライアック（光結合素子）ＰＣ１のフォトダイオードに電流が流れる。
【０００９】
フォトトライアックＰＣ１のフォトダイオードに或る一定電流以上が流れるとフォトトライアックＰＣ１がオンし、これに伴いトライアックＴＲ１がオンする。
【００１０】
ここで、入力される商用交流電源がＡＣ２００Ｖ系である際は、スイッチングトランジスタＱ２がオンして、フォトトライアックＰＣ１のフォトダイオードに動作電流が供給されなくなり、フォトトライアックＰＣ１がオフして、トライアックＴＲ１がオンするのを禁止する。これにより、全波整流回路が形成される。
【００１１】
また、入力される商用交流電源がＡＣ１００Ｖ系である際は、スイッチングトランジスタＱ２がオフして、フォトトライアックＰＣ１のフォトダイオードに動作電流が供給され、これに伴いフォトトライアックＰＣ１がオンして、トライアックＴＲ１がオンする。これにより、直列接続されたコンデンサＣ１，Ｃ２を用いた倍電圧整流回路が形成される。
【００１２】
このように、入力される商用交流電源がＡＣ１００Ｖ系の場合はトライアックＴＲ１がオンして倍電圧整流回路が形成され、ＡＣ２００Ｖ系の場合はトライアックＴＲ１がオンしないことから全波整流回路が形成されて、入力電源電圧（１００Ｖ系／２００Ｖ系）により自動的に整流回路が切り替え制御される。
【００１３】
しかしながら、上記した従来の回路構成に於いては、図２に示すようにトライアックＴＲ１のオン／オフをコントロールする（トリガ制御する）スイッチングトランジスタＱ２の駆動電力を、入力された商用交流電源からとっているために駆動電圧が高く、従って抵抗Ｒ２に大きな電流が流れ、発熱ロスが大きいという問題があった。
【００１４】
この図２に示す回路の入力電源電圧（外部より供給される商用交流電源の電圧）ＶACとコンデンサＣ１、Ｃ２の平滑電圧ＶN の関係を図４に示す。ここでは、倍電圧整流される上限をＶACH 、全波整流される下限をＶACL とし、その差をΔＶACとする。コンデンサＣ４の電圧に換算すると１．４ΔＶACとなる。ＡＣ１００Ｖ系は１３８Ｖ以下で倍電圧整流、ＡＣ２００Ｖ系は１８０Ｖ以上で確実に全波整流動作しなければならない。従ってΔＶACは、ばらつきも考慮して２０Ｖ程度以下にする必要がある。スイッチングトランジスタＱ２のコレクタ電流Ｉｃ、ｈｆｅをそれぞれＩｃ＝０．１Ａ、ｈｆｅ＝１００とすると、Ｒ２＜ｈｆｅ／Ｉｃ＊１．４ΔＶAC＝２８ＫΩとなり、ＡＣ２４０Ｖ入力の時、Ｒ２＝２７ＫΩとすると、Ｒ２のロスは（２４０＊１．４）2／２７＊１０００＝４．２Ｗと大きな値になる。
【００１５】
このように、図２に示す回路構成に於いては、抵抗Ｒ２には大きな電流が流れ、発熱ロスが大きいという問題がある。
【００１６】
またＶACL とＶACH との間の電圧では、スイッチングトランジスタＱ２の状態が一定せず（この不安定な電圧領域を図４に波線で示している）、従ってオン／オフを繰り返す可能性が高く、その度にトライアックＴＲ１がオンして倍電圧整流となったり、オフして全波整流となったりする不安定な動作状態を招く虞があり信頼性の面でも問題があった。
【００１７】
このように従来の回路構成に於いては、トライアックＴＲ１のオン／オフをコントロールする（トリガ制御する）スイッチングトランジスタＱ２の駆動電力を抵抗Ｒ２を介し入力された商用交流電源からとっているために、駆動電圧が高く抵抗Ｒ２に大きな電流が流れて発熱ロスが大きいという問題があった。また、スイッチングトランジスタＱ２のオン／オフ状態が一定（安定）しない入力電圧領域ができてしまうことから正常動作が保障されないという問題があった。
【００１８】
【発明が解決しようとする課題】
上記したように、図２に示す従来の回路構成に於いては、トライアックＴＲ１のオン／オフをコントロールするスイッチングトランジスタＱ２の駆動電力を入力された商用交流電源からとっているために、駆動電圧が高く抵抗Ｒ２の発熱ロスが大きいという問題があった。また、スイッチングトランジスタＱ２のオン／オフ状態が一定しない入力電圧領域ができてしまうことから正常動作が保障されないという問題があった。
【００１９】
本発明は上記実情に鑑みなされたもので、全波整流回路と倍電圧整流回路とをトライアックにより切り替えて、電圧の異なる複数種の商用交流電源に適用できるようにしたスイッチングレギュレータ電源に於いて、トライアックのオン／オフをコントロールするスイッチングトランジスタに駆動電力を供給する抵抗の発熱ロスを低減できるとともに、上記スイッチングトランジスタ並びにトライアックのオン／オフ状態が一定しない入力電圧領域を無くして安定した信頼性の高い動作を維持することのできる電源装置を提供することを目的とする。
【００２０】
【課題を解決するための手段】
本発明は、複数種の商用交流電源が接続される交流入力端子と、直流出力端子を有し、前記交流電源の交流を全波整流する全波整流回路と、前記全波整流回路の直流出力端子間に第１及び第２のコンデンサを直列接続し、前記全波整流回路の交流入力端子の一方にトライアックの第１端子を接続し、前記トライアックの第２端子を前記第１のコンデンサと前記第２のコンデンサの接続点に接続した倍電圧整流回路と、前記トライアックのゲート及び前記第１端子の間に第３の抵抗を接続し、前記第３の抵抗に並列接続した第５のコンデンサと、第１及び第２の一次巻線を有し、前記第１の一次巻線にパワーＭＯＳトランジスタのドレン及びソースを直列に介して前記倍電圧整流回路に並列に接続し、かつ２次巻線にスイッチングレギュレータ回路を接続する変圧器と、前記変圧器の第２の一次巻線間に接続し、前記第１及び第２のコンデンサで整流平滑された直流電源電圧によって、前記整流回路の直流出力端子の一方と前記倍電圧整流回路との接続点に一端を接続した第１の抵抗を介してチャージ可能な第３のコンデンサと、前記トライアックのゲートと、前記トライアックと前記倍電圧整流回路との接続点の間に第４の抵抗を介して接続し、前記トライアックをトリガ制御するフォトトライアックと、前記トライアックをオンオフ制御するものであって、そのコレクタを、前記フォトトライアックに有するフォトダイオードのアノードを前記第３のコンデンサと前記第１の抵抗の接続点に、接続し、そのベースを前記全波整流回路の交流入力端子の一方に接続し、そのエミッタを前記フォトトライアックの前記フォトダイオードのカソードに接続した第２のスイッチングトランジスタと、前記第２のスイッチングトランジスタのベースと前記トライアックと前記全波整流回路の交流入力端子の一方の接続点に接続した第２の抵抗と、前記第５の抵抗と前記第２のスイッチングトランジスタのエミッタの接続点の電位、前記変圧器の二次巻線に接続されているスイッチングレギュレータ回路からのフイ−ドバック信号と、前記変圧器の第２の一次巻線と前記パワーＭＯＳトランジスタの接続されているソースと前記第３のコンデンサの接続点からの電位を取り込み、前記パワーＭＯＳトランジスタのゲートを制御するスイッチング電源コントロール用集積回路と、前記第５の抵抗と前記第２のスイッチングトランジスタのベースとの接続点にそのコレクタを接続し、そのエミッタを前記フォトトライアックに有するフォトダイオードのアノードと前記第１の抵抗と前記第３のコンデンサとの接続点に接続し、そのベースを前記第２のスイッチングトランジスタのコレクタに接続した第３のスイッチングトランジスタと、前記第３のスイッチングトランジスタのエミッタ及びベースの間に接続したバイアス用抵抗と、前記第２のスイッチングトランジスタのベースとエミッタの間に接続した高周波ノイズ除去用コンデンサとを具備し、前記第１、第２のスイッチングトランジスタによるサイリスタ動作で前記フォトトライアックのフォトダイオードを動作制御し、前記フォトトライアックにより前記トライアックをトリガ制御して、前記全波整流回路の出力である全波整流と、前記倍電圧整流回路の出力である倍電圧整流とを切り替えることを特徴とする。
【００２３】
上記フォトダイオードの制御回路は、例えば図１に示すように、オン／オフ動作するスイッチングトランジスタＱ２，Ｑ３、バイアス用抵抗Ｒ６、高周波ノイズ除去用コンデンサＣ６等により構成され、トランジスタＱ２がオンすることによりトランジスタＱ３がオンしてトランジスタＱ２にベース電流を流す、所謂サイリスタと同様の動作するスイッチング回路を実現している。この回路が、フォトトライアックＰＣ１のフォトダイオードに並列に接続され、フォトダイオードのバイパス回路として作用する。当該回路は、入力電源電圧（ＡＣ入力）を整流するダイオードＤ３、及びその電圧を分割する抵抗Ｒ２、Ｒ３により得られた監視電圧を入力し、当該電圧がある値を超えたときスイッチオン状態となってフォトダイオードのアノード−カソード間を短絡状態にし、フォトダイオードの点灯駆動を禁止する。ここでは、２００Ｖ系のＡＣ電源が入力された際の抵抗Ｒ２と抵抗Ｒ５の分圧値により定まる監視電圧でスイッチオン状態となる。
【００２４】
このようなサイリスタ動作するトランジスタ構成のフォトダイオード制御回路によりフォトトライアックを制御し、当該フォトトライアックによりトライアックを制御する構成としたことにより、トライアックのオン／オフをコントロールするスイッチングトランジスタに駆動電力を供給する抵抗（図１に示すＲ２）の発熱ロスを著しく低減できるとともに、上記スイッチングトランジスタを常に安定した状態でオン／オフ制御できることからトライアックのオン／オフ状態が一定しない入力電圧領域を無くして安定した信頼性の高い動作を維持することができる。即ち、図１に於いて、抵抗Ｒ２の発熱ロスを大幅に低減できるとともに、図４に示すＶACL とＶACH との間に於けるトランジスタＱ２のオン、オフの不定状態を無くして、トライアックＴＲ１を常に安定に動作できる、入力電源電圧（ＡＣ電圧）による整流回路の自動切替技術が実現できる。
【００２５】
【発明の実施の形態】
以下図面を参照して本発明の実施形態を説明する。
【００２６】
図１は本発明の実施形態を示す回路図であり、上記した図２と同一部分には同一符号を付してその説明を省略する。
【００２７】
この図１に示す回路構成が上記図２に示す回路構成と特に異なる部分は、フォトトライアックＰＣ１のフォトダイオードを制御するスイッチングトランジスタＱ２に、当該トランジスタＱ２がオンした際に当該トランジスタＱ２にベース電流を流して当該トランジスタＱ２をサイリスタと同様に動作させるためのスイッチングトランジスタＱ３が設けられた点である。
【００２８】
ここでは、フォトダイオードのカソード−アノード間に、ＮＰＮ形スイッチングトランジスタＱ２、ＰＮＰ形スイッチングトランジスタＱ３、抵抗Ｒ６、コンデンサＣ６等でなる、フォトダイオードの制御回路が並列接続されて、ダイオードＤ３により整流され抵抗Ｒ２、Ｒ３により分割されたＡＣ入力電源の監視電圧をもとに上記各トランジスタＱ２，Ｑ３がスイッチ動作する。即ち、ＡＣ２００系入力電源の監視電圧を受けると、上記スイッチングトランジスタＱ２がスイッチオンして、抵抗Ｒ６が接続されたトランジスタＱ３のベース−エミッタ間に電位差が生じ同トランジスタＱ３のベース電圧がコレクタ電位に近づいてトランジスタＱ３がスイッチオンとなる。このトランジスタＱ３がオンすることにより、当該トランジスタＱ３を介してトランジスタＱ２をオンするに足るベース電流が当該トランジスタＱ２に流れる。これにより、抵抗Ｒ２を流れる電流は著しく減少する。
【００２９】
図３は上記図１に示すＡＣ入力電源電圧（外部より供給される商用交流電源の電圧）ＶACと、コンデンサＣ１，Ｃ２の平滑電圧ＶＮの関係を示したもので、図４に示す従来技術の動作説明図と対比させて示している。
【００３０】
上記図１に示す構成に於いて、外部より供給される商用交流電源（ＡＣ入力電源）は、ダイオードＤ１〜Ｄ４により整流され、電解コンデンサＣ１、Ｃ２により平滑される。この整流平滑された直流電源電圧は、抵抗Ｒ１を介して電解コンデンサＣ３がチャージされる。
【００３１】
上記コンデンサＣ３の電圧が或る一定電圧まで上昇すると、スイッチングトランジスタＱ１をオン／オフ制御するスイッチング電源コントロール用集積回路ＩＣ１が動作して、フォトトライアックＰＣ１のフォトダイオードに電流が流れる。
【００３２】
フォトトライアックＰＣ１のフォトダイオードに或る一定電流以上が流れるとフォトトライアックＰＣ１がオンし、これに伴いトライアックＴＲ１がオンする。
【００３３】
ここで、外部より入力される商用交流電源がＡＣ１００Ｖ系である際は、ダイオードＤ３により整流され抵抗Ｒ２、Ｒ３により分割されたＡＣ入力電源の監視電圧がスイッチングトランジスタＱ２をオンする値に至らず、従ってスイッチングトランジスタＱ２がオフ状態にあり、フォトトライアックＰＣ１のフォトダイオードに動作電流が供給されることから、フォトトライアックＰＣ１がオンし、トライアックＴＲ１がオン動作する。これにより、直列接続されたコンデンサＣ１，Ｃ２を用いた倍電圧整流回路が形成される。
【００３４】
また、外部より入力される商用交流電源がＡＣ２００Ｖ系である際は、ダイオードＤ３により整流され抵抗Ｒ２、Ｒ３により分割されたＡＣ入力電源の監視電圧がスイッチングトランジスタＱ２をオンする値に達し、当該スイッチングトランジスタＱ２がオンすることにって、フォトトライアックＰＣ１のフォトダイオードに動作電流が供給されなくなり、フォトトライアックＰＣ１がオフして、トライアックＴＲ１がオンするのを禁止する。これにより、全波整流回路が形成される。
【００３５】
この際、図１に示す実施形態に於いては、フォトトライアックＰＣ１に設けられたフォトダイオードのカソード−アノード間に、上記したスイッチングトランジスタＱ２、及び当該トランジスタＱ２をサイリスタと同様に動作させるスイッチングトランジスタＱ３を備えたフォトダイオードの制御回路が並列に接続されており、スイッチングトランジスタＱ２がオンすることで、上記フォトダイオードのカソード−アノード間にバイパス用の電流路が形成されて、フォトダイオードに動作電流が流れず、従ってトライアックＴＲ１がオフし、全波整流に切り替わる。即ち、ここではフォトトライアックＰＣ１に設けられたフォトダイオードのカソード−アノード間に、ＮＰＮ形スイッチングトランジスタＱ２、ＰＮＰ形スイッチングトランジスタＱ３、抵抗Ｒ６、コンデンサＣ６等でなる、フォトダイオードの制御回路が並列接続されており、この制御回路に、ＡＣ２００系の監視電圧が抵抗Ｒ２を介して入力されると、上記スイッチングトランジスタＱ２がスイッチオンして、抵抗Ｒ６が接続されたトランジスタＱ３のベース−エミッタ間に電位差が生じ同トランジスタＱ３のベース電圧がコレクタ電位に近づいてトランジスタＱ３がスイッチオンとなる。このトランジスタＱ３がオンすることにより、当該トランジスタＱ３を介してトランジスタＱ２をオンするに足るベース電流が当該トランジスタＱ２に流れて、トランジスタＱ２がトランジスタＱ３によりサイリスタと同様にオン動作する。これにより、抵抗Ｒ２を流れる電流が著しく減少した状態で、トランジスタＱ２がスイッチオン状態を維持する。
【００３６】
従ってスイッチングトランジスタＱ２がオンするためのベース電流は小さな値（小電流値）で良く、また、図４に波線で示した、オン、オフ状態が一定しない不安定な電圧領域を無くして、図３に示す或る一定電圧ＶACNを境に、安定した切替動作が行われる。ここでは、抵抗Ｒ２のロスを０．１Ｗ程度に抑えられる。また、図２に示す入力検出用の平滑コンデンサＣ４も不要となる。
【００３７】
このように、入力される商用交流電源がＡＣ１００Ｖ系の場合はトライアックＴＲ１がオンして倍電圧整流回路が形成され、ＡＣ２００Ｖ系の場合はトライアックＴＲ１がオンしないことから全波整流回路が形成されて、入力電源電圧（１００Ｖ系／２００Ｖ系）により自動的に整流回路が切り替え制御される。
【００３８】
上記したように、本発明の実施形態によれば、スイッチングトランジスタＱ２がオンすると、当該トランジスタＱ２がトランジスタＱ３によりサイリスタと同様にオン動作することから、スイッチングトランジスタＱ２がオンするためのベース電流は小さな値（小電流値）で良く、従って抵抗Ｒ２のロスを著しく低減できる。ここでは、抵抗Ｒ２のロスを０．１Ｗ程度に抑えることができる。
【００３９】
また、図４に波線で示した、オン、オフ状態が一定しない不安定な電圧領域が無くなることから、図３に示す或る一定電圧ＶACNを境に、安定したトライアックＴＲ１の切替動作が行える。更に、図２に示す入力検出用の平滑コンデンサＣ４も不要となる。
【００４０】
尚、本発明の回路構成は上記した実施形態に留まらず、例えばフォトトライアックＰＣ１のフォトダイオードをスイッチング電源コントロール用集積回路ＩＣ１の動作用電流路に介在させず、フォトトライアックＰＣ１のフォトダイオードの電流路と、スイッチング電源コントロール用集積回路ＩＣ１の電流路とをそれぞれ独立させた回路構成にする等、本発明の要旨を逸脱しない範囲で種々変形可能である。
【００４１】
【発明の効果】
以上詳記したように本発明によれば、全波整流回路と倍電圧整流回路とをトライアックにより切り替えて、電圧の異なる複数種の商用交流電源に適用できるようにしたスイッチングレギュレータ電源に於いて、トライアックのオン／オフをコントロールするスイッチングトランジスタに駆動電力を供給する抵抗の発熱ロスを低減できるとともに、上記スイッチングトランジスタ並びにトライアックのオン／オフ状態が一定しない入力電圧領域を無くして安定した信頼性の高い動作を維持することのできる電源装置が提供できる。
【図面の簡単な説明】
【図１】本発明の実施形態に於ける要部の回路構成を示す図。
【図２】従来技術に於けるスイッチング電源装置回路構成を示す図。
【図３】上記実施形態の動作説明図。
【図４】従来技術に於けるスイッチング電源装置の動作説明図。
【符号の説明】
ＴＲ１…トライアック
ＰＣ１…フォトトライアック（光結合素子）
Ｑ１，Ｑ２，Ｑ３…スイッチングトランジスタ
Ｄ１，Ｄ２，Ｄ３，Ｄ４，Ｄ５…ダイオード
Ｃ１，Ｃ２，Ｃ３，Ｃ４，Ｃ５，Ｃ６…コンデンサ
Ｒ１，Ｒ２，Ｒ３，Ｒ４，Ｒ５，Ｒ６…抵抗
ＩＣ１…スイッチング電源コントロール用集積回路
ＡＣ…商用交流電源（入力電源）
Ｔ１…変圧器
【図１】
0004458572.tif 000002
【図２】
0004458572.tif 000003
【図３】
0004458572.tif 000004
【図４】
0004458572.tif 000005